(57)【要約】【課題】  施工後の強度及び剛性を高めるとともに、施工時間の短縮及び手間の軽減を図り、さらに、高品質化と交換作業の容易化を実現する。【解決手段】  上面３ｕ…にＣ形チャンネル部４…を有する根太材３…と、側面２ａ…にスリット２ａｓ…を有するデッキ材２…と、スリット２ａｓ…に差し込み可能な係止頭部６ｈ…を有するボルト部材６…、及びＣ形チャンネル部４に収容し、かつ回り止めされるナット部材７…からなる固定具５…とを用意し、根太材３…を所定間隔おきに配するとともに、根太材３…の上面３ｕ…にデッキ材２…を交差するように並べて配し、Ｃ形チャンネル部４に収容したナット部材７…に対して、スリット２ａｓ…に係止頭部６ｈ…を差し込んだボルト部材６…を螺着する。【選択図】  図１
2006207363.tif 000002
【特許請求の範囲】
【請求項１】
複数のデッキ材を所定の施工面に並べて設置するウッドデッキの施工方法において、上面の長手方向にＣ形チャンネル部を有する複数の根太材と、側面の長手方向にスリットを有する複数のデッキ材と、前記スリットに差し込み可能な係止頭部を有するボルト部材、及びこのボルト部材に螺合するとともに、前記Ｃ形チャンネル部に収容し、かつ当該Ｃ形チャンネル部により回り止めされるナット部材からなる複数の固定具とを用意し、前記施工面に対して前記根太材を所定間隔おきに配するとともに、前記根太材の上面に前記デッキ材を交差するように並べて配し、前記Ｃ形チャンネル部に収容した前記ナット部材に対して、前記スリットに係止頭部を差し込んだ前記ボルト部材を螺着することにより前記デッキ材を前記根太材に固定することを特徴とするウッドデッキの施工方法。
【請求項２】
前記根太材は、アルミニウム材等の硬質素材により角パイプ状に形成するとともに、上面に凹部を用いたＣ形チャンネル部を一体に形成してなることを特徴とする請求項１記載のウッドデッキの施工方法。
【請求項３】
前記根太材は、ベース部及びこのベース部から上方に起立して当該根太材の側面を挟持する一対のブラケット部を有する根太材支持部材により支持することを特徴とする請求項１又は２記載のウッドデッキの施工方法。
【請求項４】
前記デッキ材は、所定量の廃木材と所定量の廃プラスチックを原料とするリサイクル合成材により矩形ボード状に形成してなることを特徴とする請求項１記載のウッドデッキの施工方法。
【請求項５】
前記ボルト部材は、円盤状に形成した係止頭部を有するとともに、この係止頭部の上面中央に、回し工具が係止する工具係止部を有することを特徴とする請求項１記載のウッドデッキの施工方法。
【請求項６】
前記ボルト部材の係止頭部と前記デッキ材のスリット間には、前記ボルト部材が挿通する挿通孔を有し、かつ全体を矩形状に形成した押え用ワッシャ部材を介在させることを特徴とする請求項１又は５記載のウッドデッキの施工方法。
【請求項７】
前記ナット部材は、長板状に形成し、短辺の寸法を前記Ｃ形チャンネル部の開口幅の寸法よりも短く選定するとともに、長辺の寸法を前記Ｃ形チャンネル部の壁部により回り止めされる長さに選定することを特徴とする請求項１記載のウッドデッキの施工方法。
【発明の詳細な説明】
【技術分野】
【０００１】
本発明は、住宅や施設に備えるベランダやテラス等に設置するウッドデッキに用いて好適なウッドデッキの施工方法に関する。
【背景技術】
【０００２】
一般に、住宅や施設に備えるベランダやテラス等に設置し、住宅や施設から外履きを用いることなく直接屋外に出れるようにしたウッドデッキは普及しているが、通常、この種のウッドデッキは、所定の施工面に所定間隔おきに配した複数の根太材の上に複数のデッキ材を並べて固定する施工方法により設置される。
【０００３】
従来、このようなウッドデッキの施工方法としては、特開２００３−２７７１９号公報に開示される施工方法が知られている。図１０に、同公報に開示される施工方法と同様の一般的な施工方法により設置されるウッドデッキＤｒを示す。この施工方法は、根太材５１の上面５１ｕに当該根太材５１に対して交差するように配した任意のデッキ材５４の側面に設けた長手方向のスリット５４ａに、工の字形の端面を有する取付部材５２の一側を嵌め込み、取付部材５２と根太材５１，取付部材５２とデッキ材５４をそれぞれタッピングねじ５３…により固定するとともに、他のデッキ材５４の側面に設けた長手方向のスリット５４ｂを取付部材５２の他側に嵌め込んで施行するものである。
【特許文献１】特開２００３−２７７１９号
【発明の開示】
【発明が解決しようとする課題】
【０００４】
しかし、上述した従来のウッドデッキの施工方法は、次のような問題点があった。
【０００５】
第一に、デッキ材５４…における幅方向の少なくとも一側は、取付部材５２…に対して嵌め込みのみにより固定され、根太材５１…に対しては固定されないため、施工後における全体の強度及び剛性において不利になり、衝撃や長期使用等によりガタツキを生じやすいなど、耐久性に難がある。
【０００６】
第二に、デッキ材５４…を一枚ずつ施工せざるを得ないため、施工に時間と手間がかかり非能率的となる。しかも、デッキ材５４…の一枚が傾斜するなどにより位置ずれした場合、その位置ずれがそれ以降に施工する他のデッキ材５４…にそのまま影響し、高品質のウッドデッキを得にくい。
【０００７】
第三に、施工構造上、デッキ材５４…の部分的な交換を行うことができない。したがって、破損や汚れ等によりデッキ材５４…を部分的に交換する場合、そのデッキ材５４…の属する列の端からデッキ材５４…を全てを取外さなければならず、交換作業が大変となるとともに、他の部品や材料を傷める虞れがあるなど、メンテナンス性に難がある。
【０００８】
本発明は、このような背景技術に存在する課題を解決したウッドデッキの施工方法の提供を目的とするものである。
【課題を解決するための手段】
【０００９】
本発明に係るウッドデッキＤの施工方法は、上述した課題を解決するため、複数のデッキ材２…を所定の施工面Ｆに並べて設置するに際し、上面３ｕ…の長手方向にＣ形チャンネル部４…を有する複数の根太材３…と、側面２ａ，２ｂ…の長手方向にスリット２ａｓ，２ｂｓ…を有する複数のデッキ材２…と、スリット２ａｓ，２ｂｓ…に差し込み可能な係止頭部６ｈ…を有するボルト部材６…、及びこのボルト部材６…に螺合するとともに、Ｃ形チャンネル部４…に収容し、かつ当該Ｃ形チャンネル部４…により回り止めされるナット部材７…からなる複数の固定具５…とを用意し、施工面Ｆに対して根太材３…を所定間隔おきに配するとともに、根太材３…の上面３ｕ…にデッキ材２…を交差するように並べて配し、Ｃ形チャンネル部４に収容したナット部材７…に対して、スリット２ａｓ，２ｂｓ…に係止頭部６ｈ…を差し込んだボルト部材６…を螺着することによりデッキ材２…を根太材３…に固定するようにしたことを特徴とする。
【００１０】
この場合、発明の好適な態様により、根太材３…は、アルミニウム材等の硬質素材により角パイプ状に形成するとともに、上面３ｕ…に凹部４ｉ…を用いたＣ形チャンネル部４…を一体に形成できる。なお、根太材３…は、ベース部１１ｂ…及びこのベース部１１ｂ…から上方に起立して当該根太材３…の側面を挟持する一対のブラケット部１１ｓ，１１ｓ…を有する根太材支持部材１１…により支持することができる。一方、デッキ材２…は、所定量の廃木材と所定量の廃プラスチックを原料とするリサイクル合成材Ｒにより矩形ボード状に形成できる。他方、ボルト部材６…は、円盤状に形成した係止頭部６ｈ…を有するとともに、この係止頭部６ｈ…の上面中央に、回し工具Ｔが係止する工具係止部６ｓ…を設けることができる。また、ボルト部材６…の係止頭部６ｈ…とデッキ材２…のスリット２ａｓ，２ｂｓ…間には、当該ボルト部材６…が挿通する挿通孔１２ｓ…を有し、かつ全体を矩形状に形成した押え用ワッシャ部材１２…を介在させることができる。さらに、ナット部材７…は、長板状に形成し、短辺７ｘ…の寸法ＬｘをＣ形チャンネル部４…の開口幅の寸法Ｌｃよりも短く選定するとともに、長辺７ｙ…の寸法ＬｙをＣ形チャンネル部４…の壁部４ｗ…により回り止めされる長さに選定することができる。
【発明の効果】
【００１１】
このような構成を有する本発明に係るウッドデッキＤの施工方法によれば、次のような顕著な効果を奏する。
【００１２】
（１）  デッキ材２…における幅方向の両側を根太材３…に対して固定できるため、施工後における全体の強度及び剛性を高めることができ、衝撃や長期使用等によりガタツキが生じにくく、耐久性を高めることができる。
【００１３】
（２）  複数のデッキ材２…をまとめて配列させ、この後、固定具５…により固定することができるため、施工時間の短縮及び手間の軽減を図れ、能率的な施工を実現できる。しかも、デッキ材２…の位置ずれが他のデッキ材２…に影響しにくくなることから、高品質のウッドデッキＤを得ることができる。
【００１４】
（３）  部分的なデッキ材２…を破損や汚れ等により交換する場合であっても、該当するデッキ材２…のみを交換できるため、交換作業の著しい容易化を実現できるとともに、他の部品や材料を傷める虞れも回避され、メンテナンス性を高めることができる。
【００１５】
（４）  好適な態様により、根太材３…を、アルミニウム材等の硬質素材により角パイプ状に形成するとともに、上面３ｕ…に凹部４ｉ…を用いたＣ形チャンネル部４…を一体に形成すれば、本発明に係る施工方法に用いて最適な根太材３…を容易に得ることができる。
【００１６】
（５）  好適な態様により、根太材３…を、ベース部１１ｂ…及びこのベース部１１ｂ…から上方に起立して当該根太材３…の側面を挟持する一対のブラケット部１１ｓ，１１ｓ…を有する根太材支持部材１１…により支持すれば、排水性のある傾斜した施工面Ｆに対する根太材３…の高さを任意に調整できるなど、デッキ材２…の水平性及び安定性を容易に確保することができる。
【００１７】
（６）  好適な態様により、デッキ材２…を、所定量の廃木材と所定量の廃プラスチックを原料とするリサイクル合成材Ｒにより矩形ボード状に形成すれば、資源の再利用に貢献できるとともに、デッキ材２…自身も更なるリサイクルが可能になる。また、廃木材を含むため、見た目や触った感触は、天然木とほとんど変わらない温もりや質感を得ることができるとともに、廃プラスチックを含むため、防水性，耐久性及び耐食性に優れ、しかも傷付きにくく虫に食われないなどの利点がある。
【００１８】
（７）  好適な態様により、ボルト部材６…の係止頭部６ｈ…とデッキ材２…のスリット２ａｓ，２ｂｓ…間に、ボルト部材６…が挿通する挿通孔１２ｓ…を有し、かつ全体を矩形状に形成した押え用ワッシャ部材１２…を介在させれば、例えば、デッキ材２…を千鳥状に配したり、隙間を空けて配した場合等であっても、同時に複数のデッキ材２…の隅部を確実かつ安定に保持することができる。
【００１９】
（８）  好適な態様により、円盤状に形成した係止頭部６ｈ…を有するとともに、この係止頭部６ｈ…の上面中央に、回し工具Ｔが係止する工具係止部６ｓ…を有するボルト部材６…と、長板状に形成し、短辺７ｘ…の寸法ＬｘをＣ形チャンネル部４…の開口幅の寸法Ｌｃよりも短く選定するとともに、長辺７ｙ…の寸法ＬｙをＣ形チャンネル部４…の壁部４ｗ…により回り止めされる長さに選定したナット部材７…を用いれば、本発明に係る施工方法に用いて最適な固定具５…を容易に得ることができる。
【発明を実施するための最良の形態】
【００２０】
次に、本発明に係る最良の実施形態を挙げ、図面に基づき詳細に説明する。
【００２１】
まず、本実施形態に係るウッドデッキＤの施工方法に用いる部材及び部品について、図１〜図６及び図９を参照して説明する。
【００２２】
２は、デッキ材であり、所定量の廃木材と所定量の廃プラスチックを原料とするリサイクル合成材Ｒにより矩形ボード状に成形する。この場合、リサイクル合成材Ｒは発泡成形材であってもよい。このようなリサイクル合成材Ｒを利用することにより、資源の再利用に貢献できるとともに、デッキ材２自身も更なるリサイクルが可能になる。また、廃木材を含むため、見た目や触った感触は、天然木とほとんど変わらない温もりや質感を得ることができるとともに、廃プラスチックを含むため、防水性，耐久性及び耐食性に優れ、しかも傷付きにくく虫に食われないなどの利点がある。
【００２３】
このデッキ材２は、図９に示すように、全体の外郭形状を、一定の厚さを有する一枚の木板材（無垢材）に似せて形成するとともに、内部には幅方向に並んだ複数の中空部２ｓ…を設けることにより断面を枠形状に成形する。したがって、デッキ材２の内部には、所定の厚さを有する複数の仕切壁部２ｈ…を有し、断面が正方形又は長方形となる中空部２ｓ…が、デッキ材２の長手方向に設けられる。また、幅方向（短手方向）の両側における側面２ａ，２ｂの長手方向には、スリット２ａｓ，２ｂｓを設ける。
【００２４】
３は、根太材であり、アルミニウム材，スチール材，プラスチック材等の硬質素材により角パイプ状に形成する。この根太材３は、図９に示すように、上面３ｕの長手方向にＣ形チャンネル部４を設ける。Ｃ形チャンネル部４は、根太材３の上面３ｕから下方に膨出させて形成した凹部４ｉと、上面３ｕの高さから凹部４ｉの両側を覆うように所定幅だけ突出形成した一対の係止片部４ｐ，４ｑにより構成する。なお、３ｒは、根太材３の内部中央に起設した補強壁部、４ｗ，４ｗ（図５参照）は、凹部４ｉの両側に位置する壁部をそれぞれ示す。根太材３…をこのように構成することにより、本実施形態に係る施工方法に用いて最適な根太材３…を容易に得ることができる。
【００２５】
５は、固定具であり、デッキ材２のスリット２ａｓ，２ｂｓに差し込み可能な係止頭部６ｈを有するボルト部材６と、このボルト部材６に螺合するとともに、Ｃ形チャンネル部４に収容し、かつ当該Ｃ形チャンネル部４により回り止めされるナット部材７との組み合わせからなる。この場合、ボルト部材６及びナット部材７は、スチール材やステンレス材等の金属素材により形成する。
【００２６】
ボルト部材６は、図３及び図４に示すように、円盤状に形成した係止頭部６ｈを有するとともに、この係止頭部６ｈの上面中央に、回し工具（六角レンチ）Ｔが係止する工具係止部（六角孔）６ｓを有する。なお、六角レンチＴによりボルト部材６を回し操作する際には、各デッキ材２…同士間の隙間Ｓに挿入して行うとともに、当該隙間Ｓは、図１に示すように、ボルト部材６の径により決まるため、ボルト部材６の径は、六角レンチＴの径（幅）よりも若干大きくなるように選定する。
【００２７】
また、ナット部材７は、図３及び図４に示すように、長板状に形成し、短辺７ｘ，７ｘの寸法ＬｘをＣ形チャンネル部４の開口幅の寸法Ｌｃよりも短く選定するとともに、長辺７ｙ，７ｙの寸法ＬｙをＣ形チャンネル部４の壁部４ｗ，４ｗにより回り止めされる長さに選定する。この場合、ナット部材７における二つの角部には、ボルト部材６を締め付け方向に回した際に、ナット部材７が回転し、図４に示す仮想線のように、ナット部材７の短辺７ｘ，７ｘをＣ形チャンネル部４の壁部４ｗ，４ｗに当接（係合）させる１／４円弧によるアール部７ｒ，７ｒを形成する。ボルト部材６及びナット部材７をこのように構成することにより、本実施形態に係る施工方法に用いて最適な固定具５を容易に得ることができる。
【００２８】
次に、本実施形態に係るウッドデッキＤの施工方法について、図１〜図６を参照して説明する。
【００２９】
施工に際しては、必要数量のデッキ材２…，根太材３…及び固定具５…を用意する。そして、最初に、住宅や施設に備えるベランダやテラス等の施工面Ｆに、複数の根太材３…を所定間隔おきに設置する。図６は、根太材３…の設置間隔を示している。なお、根太材３…は、施工面Ｆに対して直接固定してもよいし、他の固定部材等を用いて固定してもよい。また、施工面Ｆに対して必ずしも固定することを要せず、他の固定手段により固定してもよい。
【００３０】
次いで、図６に示すように、各根太材３…の上面３ｕ…に、複数のデッキ材２…を交差（直交）するように並べて配列させるとともに、各デッキ材２…間であって各根太材３…が配された位置に固定具５…を介在させる。この場合、固定具５…は、ボルト部材６…の先端にナット部材７…を仮固定する程度に螺着させた後、図２に示すように、ナット部材７…を根太材３…のＣ形チャンネル部４に上方から収容するとともに、ボルト部材６…を手で回すことにより高さを調整し、係止頭部６ｈ…をデッキ材２…のスリット２ａ…に収容する。この結果、当該ボルト部材６…の係止頭部６ｈ…は、相隣るデッキ材２…のスリット２ｂ…にも収容可能となる。
【００３１】
一方、デッキ材２…をある程度の数量、例えば、１０枚程度配列させたなら、最後に配したデッキ材２を押して各デッキ材２…を詰める。そして、この状態において固定具５…の締め付けを行う。この場合、図１に示すように、六角レンチ（回し工具）Ｔを、各デッキ材２…同士間の隙間Ｓに上から挿入するとともに、六角レンチＴの先端を、ボルト部材６…の六角孔（工具係止部）６ｓ…に差し込み、この後、六角レンチＴを締め付ける方向に回し操作すればよい。この際、ナット部材７…は、六角レンチＴの回し方向に回転しようとするも、図４に実線で示す位置において壁部４ｗ，４ｗ…に係止するため、Ｃ形チャンネル部４…による回り止めが行われる。これにより、ボルト部材６…とナット部材７…による締め付けが可能となり、デッキ材２…は根太材３…に固定される。なお、ボルト部材６…の係止頭部６ｈ…は、円盤状に形成するため、図６に示す部分拡大図のように、各デッキ材２…を千鳥状に配した場合には、三枚のデッキ材２…を同時に固定することができる。したがって、配列形態によっては、四枚のデッキ材２…を同時に固定することも可能である。
【００３２】
以上の作業を繰り返すとともに、必要な仕上処理、例えば、各デッキ材２…の中空部２ｓ…が露出する面を覆うなどの仕上処理を行うことにより、本実施形態に係る施工方法によるウッドデッキＤ（図６）が得られる。
【００３３】
他方、図７及び図８には変更実施形態を示す。この変更実施形態は、図８に示すように、根太材３…を、ベース部１１ｂ…及びこのベース部１１ｂ…から上方に起立して当該根太材３…の側面を挟持する一対のブラケット部１１ｓ，１１ｓ…を有する根太材支持部材１１…により支持するとともに、ボルト部材６…の係止頭部６ｈ…とデッキ材２…のスリット２ａｓ，２ｂｓ…間に、ボルト部材６…が挿通する挿通孔１２ｓ…を有し、かつ全体を矩形状に形成した押え用ワッシャ部材１２…を介在させたものである。
【００３４】
この場合、根太材支持部材１１…は、アルミニウム材，スチール材，プラスチック材等の硬質素材により一体形成できる。また、根太材支持部材１１…のベース部１１ｂ…は、根太材３…よりも広幅に形成する。これにより、根太材３…、更にはデッキ材２…を安定に支持できる。そして、根太材支持部材１１…により根太材３…を支持する際は、根太材３…を一対のブラケット部１１ｓ，１１ｓ…間に挟み込み、設定した高さにおいて固定ネジ１６，１６…により各ブラケット部１１ｓ，１１ｓ…を根太材３…の側面に固定する。これにより、排水性のある傾斜した施工面Ｆに対する根太材３…の高さを任意に調整できるなど、デッキ材２…の水平性及び安定性を容易に確保できる。なお、根太材支持部材１１を施工面Ｆに設置する際は、図８に示すように、防水保護用のゴムシート１５を介在させてもよい。これにより、更なる安定性及び衝撃吸収性を確保することができる。
【００３５】
一方、押え用ワッシャ部材１２…は、図７に抽出して示すように、全体を矩形状（長方形状）に形成し、中央に挿通孔１２ｓ…を設けたものである。これにより、例えば、図７に示すように、デッキ材２…を千鳥状に配するとともに、デッキ材２…における相対向する短辺同士間に隙間Ｓｓ…を空けて配した場合であっても、同時に複数のデッキ材２…の隅部を確実かつ安定に保持（固定）できる。なお、隙間Ｓｓ…は、温度差などによるデッキ材２…の伸縮を吸収するために設けたものである。その他、図７及び図８において、図１〜図６と同一部分には同一符号を付してその構成を明確にした。
【００３６】
よって、このような本実施形態（変更実施形態）に係るウッドデッキＤの施工方法によれば、基本的な手法として、上面３ｕ…の長手方向にＣ形チャンネル部４…を有する複数の根太材３…と、側面２ａ，２ｂ…の長手方向にスリット２ａｓ，２ｂｓ…を有する複数のデッキ材２…と、スリット２ａｓ，２ｂｓ…に差し込み可能な係止頭部６ｈ…を有するボルト部材６…、及びこのボルト部材６…に螺合するとともに、Ｃ形チャンネル部４…に収容し、かつ当該Ｃ形チャンネル部４…により回り止めされるナット部材７…からなる複数の固定具５…とを用意し、施工面Ｆに対して根太材３…を所定間隔おきに配するとともに、根太材３…の上面３ｕ…にデッキ材２…を交差するように並べて配し、Ｃ形チャンネル部４に収容したナット部材７…に対して、スリット２ａｓ，２ｂｓ…に係止頭部６ｈ…を差し込んだボルト部材６…を螺着することによりデッキ材２…を根太材３…に固定するようにしたため、デッキ材２…における幅方向の両側を根太材３…に対して固定でき、施工後における全体の強度及び剛性を高めることができる。したがって、衝撃や長期使用等によりガタツキが生じにくく、耐久性を高めることができる。
【００３７】
また、複数のデッキ材２…をまとめて配列させ、この後、固定具５…により固定することができるため、施工時間の短縮及び手間の軽減を図れ、能率的な施工を実現できる。しかも、デッキ材２…の位置ずれが他のデッキ材２…に影響しにくくなることから、高品質のウッドデッキＤを得ることができる。さらに、部分的なデッキ材２…を破損や汚れ等により交換する場合であっても、該当するデッキ材２…のみを交換できるため、交換作業の著しい容易化を実現できるとともに、他の部品や材料を傷める虞れも回避され、メンテナンス性を高めることができる。
【００３８】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３９】
例えば、ウッドデッキＤは、例示以外の各種用途のウッドデッキに適用できる。また、根太材３は、アルミニウム材等の硬質素材により一体成形した場合を示したが、Ｃ形チャンネル部４のみをアルミニウム材等により形成し、このＣ形チャンネル部４を、木材等により形成した根太材３本体の上に固定するなどの構成であってもよい。さらに、デッキ材２は、リサイクル合成材Ｒを用いた場合を示したが、天然木材やプラスチック材等の他の素材により形成したデッキ材２であってもよい。一方、回し工具Ｔとして六角レンチを例示したが、プラスドライバ，マイナスドライバ等の他の回し工具Ｔであってもよく、ボルト部材６には、これらに対応した工具係止部６ｓを設けることができる。
【図面の簡単な説明】
【００４０】
【図１】本発明の最良の実施形態に係る施工方法により設置したウッドデッキの断面正面図、
【図２】同施工方法により設置したウッドデッキの断面側面図、
【図３】同施工方法に用いる固定具（ボルト部材，ナット部材）の正面図、
【図４】同施工方法に用いる固定具の平面図、
【図５】同固定具の施工時における状態を示す平面図、
【図６】同施工方法により設置したウッドデッキの平面図、
【図７】本発明の変更実施形態に係る施工方法により設置した押え用ワッシャ部材の斜視図を含むウッドデッキの一部平面図、
【図８】同施工方法により設置したウッドデッキの断面側面図、
【図９】本発明の実施形態に係る施工方法に用いるデッキ材と根太材の斜視図、
【図１０】従来技術に係るウッドデッキの施工方法の説明図、
【符号の説明】
【００４１】
２      デッキ材
２ａ    デッキ材の側面（一方の側面）
２ｂ    デッキ材の側面（他方の側面）
２ａｓ  スリット
２ｂｓ  スリット
３      根太材
３ｕ    根太材の上面
４      Ｃ形チャンネル部
４ｉ    凹部
４ｗ    Ｃ形チャンネル部の壁部
５      固定具
６      ボルト部材
６ｈ    係止頭部
６ｓ    工具係止部
７      ナット部材
７ｘ    ナット部材の短辺
７ｙ    ナット部材の長辺
１１    根太材支持部材
１１ｂ  ベース部
１１ｓ  ブラケット部
１２    押え用ワッシャ部材
１２ｓ  挿通孔
Ｄ      ウッドデッキ
Ｆ      施工面
Ｒ      リサイクル合成材
Ｔ      回し工具
Ｌｘ    短辺の寸法
Ｌｙ    長辺の寸法
Ｌｃ    開口幅の寸法
【図１】
2006207363.tif 000003
【図２】
2006207363.tif 000004
【図３】
2006207363.tif 000005
【図４】
2006207363.tif 000006
【図５】
2006207363.tif 000007
【図６】
2006207363.tif 000008
【図７】
2006207363.tif 000009
【図８】
2006207363.tif 000010
【図９】
2006207363.tif 000011
【図１０】
2006207363.tif 000012